(57)【要約】【課題】  ファイルのセキュリティ性を確保しながら効率のよいデータ伝送が可能なデータ変換装置及び画像形成装置を提供する。【解決手段】  符号化されたデータを画像データに復号するデータ伸張部１３ｄと、復号した後の画像データを画像処理する画像処理部１３ｆと、画像処理をした後の画像データに対して任意の情報を埋め込む際に、該当ページと次のページ以降にまたがって透かし埋め込み処理を施す透かし埋込部１３ｇと、情報を埋め込んだ後の透かし埋込画像を符号化圧縮する機能と、埋め込み情報を画像データに埋め込む際に、画像データのファイルフォーマットが１ファイル内に１ページのみ有するものであれば、次ページ以降に相当する画像データを同じファイル内に新たに取り込むことで、１ファイル内に複数ページを有するファイルフォーマットに変換する機能を有するデータ圧縮部１３ｃとを備えた。【選択図】  図７
2007081891.tif 000002
【特許請求の範囲】
【請求項１】
符号化されたデータを画像データに復号する復号手段と、
前記復号手段により復号した画像データを画像処理する画像処理手段と、
前記画像処理手段によって画像処理を施した画像データに対して任意の情報を埋め込む透かし埋込手段と、
前記透かし埋込手段によって情報を埋め込んだ透かし埋込画像を符号化圧縮する機能と、画像データの情報量が予め設定されたしきい値に満たない場合、前記画像データのファイルフォーマットが１ファイル内に１ページのみ有するものであれば、次ページ以降に相当する画像データを同じファイル内に新たに取り込むことで、１ファイル内に複数ページを有するファイルフォーマットに変換する機能を有する符号化手段と、
を備えたことを特徴とするデータ変換装置。
【請求項２】
前記透かし埋込手段は該当ページと次ページ以降にまたがって透かし埋め込み処理を施すことを特徴とする請求項１記載のデータ変換装置。
【請求項３】
１ファイル内に１ページのみ有するファイルフォーマットを１ファイル内に複数ページを有するファイルフォーマットに変換した旨を使用者に通知する通知手段を備えたことを特徴とする請求項１又は２記載のデータ変換装置。
【請求項４】
請求項１乃至３のいずれか一項に記載のデータ変換装置を備えたことを特徴とする画像形成装置。
【発明の詳細な説明】
【技術分野】
【０００１】
本発明は、セキュリティ管理用情報の埋め込みによりデジタルデータのセキュリティ性を確保するデータ変換装置及び画像形成装置に関し、特に、画質劣化の抑制や通信コストの低減により効率のよいデータ伝送が可能になるデータ変換装置及び画像形成装置に関する。
【背景技術】
【０００２】
従来より、電子透かしの技術がデジタルデータのセキュリティ管理に用いられている。例えば、特許文献１の電子透かしを利用した画像管理システム及び電子透かし埋め込み装置では、画像の改変が検出可能であるとともに、第三者による透かしキーの解析等を困難にし、セキュリティを保ったまま画像修正を行うことが可能であるとしている。
【特許文献１】特開２００２−２６２０５６公報
【発明の開示】
【発明が解決しようとする課題】
【０００３】
ところで、ネットワーク等を介して配信されるデータの符号フォーマットには様々なものがあり、送信側・受信側でそれぞれ符号化・復号化できるフォーマットが一致していないと適切にデータを処理することができない。また、対象が同一の画像であっても、相手によって送られてくるフォーマットが違う場合に画質やデータ容量が異なることがある。それは、用途によっては画質が重要であったり、なるべくデータ量を少なくして操作性をよくすることが重要であったりするからである。また、ファイルのセキュリティ管理のために何らかの管理情報を画像に埋め込み、ファイルの有効性、安全性を保障して運用したい場合もある。
しかしながら、画像フォーマットや画像内容によっては、画像に管理情報を埋め込むことで著しく画質に影響を及ぼしたり、埋め込みアルゴリズムが解読され易くなってしまう場合がある。
そこで、本発明は、上述した実情を考慮してなされたもので、ファイルのセキュリティ性を確保しながら効率のよいデータ伝送が可能なデータ変換装置及び画像形成装置を提供することを目的とする。
【課題を解決するための手段】
【０００４】
上記の課題を解決するために、請求項１に記載の発明は、符号化されたデータを画像データに復号する復号手段と、前記復号手段により復号した画像データを画像処理する画像処理手段と、前記画像処理手段によって画像処理を施した画像データに対して任意の情報を埋め込む透かし埋込手段と、前記透かし埋込手段によって情報を埋め込んだ透かし埋込画像を符号化圧縮する機能と、画像データの情報量が予め設定されたしきい値に満たない場合、前記画像データのファイルフォーマットが１ファイル内に１ページのみ有するものであれば、次ページ以降に相当する画像データを同じファイル内に新たに取り込むことで、１ファイル内に複数ページを有するファイルフォーマットに変換する機能を有する符号化手段と、を備えたデータ変換装置を特徴とする。
また請求項２に記載の発明は、前記透かし埋込手段は該当ページと次ページ以降にまたがって透かし埋め込み処理を施す請求項１記載のデータ変換装置を特徴とする。
また請求項３に記載の発明は、１ファイル内に１ページのみ有するファイルフォーマットを１ファイル内に複数ページを有するファイルフォーマットに変換した旨を使用者に通知する通知手段を備えた請求項１又は２記載のデータ変換装置を特徴とする。
また請求項４に記載の発明では、請求項１乃至３のいずれか一項に記載のデータ変換装置を備えた画像形成装置を特徴とする。
【発明の効果】
【０００５】
本発明によれば、画像データのファイルフォーマットが１ファイル内に１ページのみ有するものであれば、次ページ以降に相当する画像データを同じファイル内に新たに取り込むことで、１ファイル内に複数ページを有するファイルフォーマットに変換し、該当ページと次のページ以降にまたがって透かし埋め込み処理を施すので、ファイルのセキュリティ性を確保できると共に、通信コストの低減や画質劣化の抑制を実現して効率のよいデータ伝送が可能になる。
【発明を実施するための最良の形態】
【０００６】
以下、図面を参照して、本発明を実施するための最良の形態を詳細に説明する。図１は本発明のデータ変換装置を適用した画像形成装置の構成を示すブロック図である。この画像形成装置はＭＦＰ（Multi Function Printer）としての機能を備え、図１に示すように、読み取りユニット１、ＳＢＵ（センサ・ボード・ユニット）２、画像バス管理手段であるＣＤＩＣ（圧縮／伸張及びデータインターフェイス制御部）３、ＩＰＰ（画像処理プロッセッサ）４、システムコントローラ５、ＲＯＭ５ａ、ＲＡＭ５ｂ、プロセスコントローラ６、ＲＯＭ６ａ、ＲＡＭ６ｂ、ＶＤＣ（ビデオ・データ制御部）７、作像ユニット８、メモリ管理手段であるＩＭＡＣ（画像メモリアクセス制御部）９、ＭＥＭ（メモリモジュール）１０、Operation Panel（操作部）１２、符号変換手段であるＭＬＣ（Media Link Controller）１３等を備え、また、外部のＰＣ（Personal Computer）１１と接続されている。
なお、図１においては、外部の接続機器としてＰＣ１１のみを示したが、図２のようにネットワークにおいてＭＦＰ、ＰＣ、プリンタ、スキャナ、サーバ等を相互接続することができ、また、これらの機器は各々１つずつとは限らず、複数の機器がネットワーク内に存在する場合もある。
図１において、読み取りユニット１は、原稿の画像情報を光学的に読み取るためのもので、原稿に対するランプ照射の反射光をミラー及びレンズにより受光素子に集光する。受光素子、この例ではＣＣＤ（Charge Coupled Device）は、ＳＢＵ２に搭載され、ＣＣＤにおいて電気信号に変換された画像信号はデジタル信号に変換された後、ＳＢＵ２から出力される。ＳＢＵ２から出力される画像信号はＣＤＩＣ３に入力される。機能デバイス及びデータバス間における画像データの伝送はＣＤＩＣ３が全て制御する。
ＣＤＩＣ３は画像データに関し、ＳＢＵ２、パラレルバス、ＩＰＰ４間のデータ転送、本実施例の全体制御を司るシステムコントローラ５と画像データに対するプロセスコントローラ６間の通信を行う。ＳＢＵ２からの画像信号はＣＤＩＣ３を経由してＩＰＰ４に転送され、光学系及びデジタル信号への量子化に伴う信号劣化（スキャナ系の信号劣化とする）を補正し、再度ＣＤＩＣ３へ出力される。
【０００７】
読み取り画像をメモリに蓄積して再利用するジョブと、メモリに蓄積しないジョブとがあり、それぞれの場合について説明する。メモリに蓄積する例としては、１枚の原稿を複数枚複写する場合、読み取りユニットを１回だけ動作させ、メモリに蓄積し、蓄積データを複数回読み出す使い方がある。メモリを使わない例としては、１枚の原稿を１枚だけ複写する場合、読み取り画像をそのまま再生すれば良いので、メモリアクセスを行う必要はない。
まず、メモリを使わない場合、ＩＰＰ４からＣＤＩＣ３へ転送されたデータは、再度ＣＤＩＣ３からＩＰＰ４へ戻される。ＩＰＰ４においてＣＣＤによる輝度データを面積階調に変換するための画質処理を行う。画質処理後の画像データはＩＰＰ４からＶＤＣ７に転送する。面積階調に変化された信号に対し、ドット配置に関する後処理及びドットを再現するためのパルス制御を行い、作像ユニット８において転写紙上に再生画像を形成する。
メモリに蓄積し画像読み出し時に付加的な処理、例えば画像方向の回転、画像の合成等を行う場合の画像データの流れについて説明すると、ＩＰＰ４からＣＤＩＣ３へ転送されたデータは、ＣＤＩＣ３からパラレルバスを経由してＩＭＡＣ９に送られる。ここではシステムコントローラ５の制御に基づき画像データとＭＥＭ１０のアクセス制御、外部のＰＣ１１のプリント用データの展開、メモリ有効活用のための画像データの圧縮／伸張を行う。
ＩＭＡＣ９へ送られたデータはデータ圧縮後ＭＥＭ１０へ蓄積し、蓄積データを必要に応じて読み出す。読み出しデータは伸張し、本来の画像データに戻しＩＭＡＣ９からパラレルバス経由でＣＤＩＣ３へ戻される。ＣＤＩＣ３からＩＰＰ４への転送後は画質処理及びＶＤＣ７でのパルス制御を行い、作像ユニット８において転写紙上に再生画像を形成する。
【０００８】
画像データの流れにおいて、パラレルバス及びＣＤＩＣ３でのバス制御により、ＭＦＰの機能を実現する。複数ジョブ、例えばコピー機能、ＦＡＸ送受信機能、プリンタ出力機能が並行に動作する状況において、読み取りユニット１、作像ユニット８及びパラレルバス使用権のジョブへの割り振りをシステムコントローラ５及びプロセスコントローラ６にて制御する。
プロセスコントローラ６は画像データの流れを制御し、システムコントローラ５はシステム全体を制御し、各リソースの起動を管理する。なお、システムコントローラ５のプログラムはＲＯＭ５ａに格納されており、このプログラムや画像情報の展開をＲＡＭ５ｂで行っている。また、プロセスコントローラ６も同様にそのプログラムがＲＯＭ６ａに格納されており、プログラムや画像情報の展開をＲＡＭ６ｂで行っている。
ＭＦＰの機能選択は操作部１２にて選択入力し、処理内容を設定する。システムコントローラ５とプロセスコントローラ６はパラレルバス、ＣＤＩＣ３及びシリアルバスを介して相互に通信を行う。ＣＤＩＣ３内においてパラレルバスとシリアルバスとのデータインターフェイスのためのデータフォーマット変換を行う。
ＭＬＣ１３は符号変換の機能を実現する。具体的には、ＣＤＩＣ３で使用される符号化方式、ＩＭＡＣ９で使用される符号化方式から他の符号化方式への変換（例えば、標準であるＪＰＥＧ方式等）を行う。
【０００９】
図３はＣＤＩＣ３（図１）の構成を示すブロック図である。ＣＤＩＣ３におけるコマンドはコマンド制御部３ｉにより制御される。画像データ入出力部３ａにはＳＢＵ２からの画像データが入力され、ＩＰＰ４に対してデータを出力する。画像データ入力制御部３ｂでは、ＩＰＰ４でスキャナ画像補正されたデータが入力される。入力データはパラレルバスでの転送効率を高めるためにデータ圧縮部３ｃに於いて、データ圧縮が行われる。
そして、データ変換部３ｇ及びパラレルデータＩ／Ｆ（インターフェース）３ｄを介してパラレルバスへ送出される。パラレルデータバスからパラレルデータＩ／Ｆ３ｄを介して入力される画像データは、バス転送のために圧縮されており、データ伸張部３ｅで伸張される。伸張された画像データは画像データ出力制御部３ｆに於いてＩＰＰ４へ転送される。
ここでの圧縮伸張に使われる符号化方式の一例としては、ＭＦＰに適している符号語長が固定されている方式が挙げられる。固定長の符号化方式は、符号状態で符号化前の画像の位置がわかるために任意の部分の画像のみを再生することが可能である。また、画像加工や編集性にも適している。
ＣＤＩＣ３はパラレルデータとシリアルデータの変換機能を併せ持つ。システムコントローラ５はパラレルバスにデータを転送し、プロセスコントローラ６はシリアルバスにデータを転送する。２つのコントローラ間での通信のためにデータ変換を行う。シリアルデータＩ／Ｆ３ｈはＩＰＰ４用にも更に１系統持ち、ＩＰＰ４とも送受信を行う。
【００１０】
図４はＩＭＡＣ９（図１）の構成を示すブロック図である。パラレルデータＩ／Ｆ部９ａにおいて、パラレルバスとの画像データの送受信を管理する。構成的にはＭＥＭ１０への画像データの格納／読み出しと、主に外部のＰＣ１１から入力されるコードデータの画像データへの展開を制御する。
ここでいうＭＥＭの例としては半導体メモリ、ハードディスク、もしくはその両方である。入力されたコードデータはラインバッファ９ｈにおいて、ローカル領域でのデータの格納を行う。ラインバッファ９ｈに格納されたコードデータは、システムコントローラＩ／Ｆ９ｂを介して入力されたシステムコントローラ５からの展開処理命令に基づき、ビデオ制御部９ｃにおいて画像データに展開される。展開された画像データもしくはパラレルデータＩ／Ｆ９ａを介してパラレルバスから入力された画像データは、ＭＥＭ１０に格納される。
この場合、データ変換部９ｄにおいて格納対象となる画像データを選択し、データ圧縮部９ｅにおいてメモリ使用効率を上げるためにデータ圧縮を行い、メモリアクセス制御部９ｆにてＭＥＭ１０のアドレスを管理しながらＭＥＭ１０に画像データを格納する。ここでの圧縮伸張に使われる符号化方式の一例としては、ＭＥＭ領域節約に適した高能率な符号化方式が挙げられる。
これは前述したＣＤＩＣ３に要求される機能重視の符号化方式と異なり、効率重視の符号化方式である。ＭＥＭ１０に格納された画像データの読み出しは、メモリアクセス制御部にて読み出し先アドレスを制御し、読み出された画像データをデータ伸張部９ｇにて伸張する。伸張された画像データをパラレルバスへ転送する場合、パラレルデータＩ／Ｆ９ａを介してデータ転送を行う。
【００１１】
図５はＩＰＰ４（図１）の構成を示すブロック図である。ＩＰＰ４におけるコマンドはコマンド・プログラム制御部４ｇにより制御される。読み取り画像はＳＢＵ２、ＣＤＩＣ３を介してＩＰＰ４の入力Ｉ／Ｆ４ａからスキャナ画像処理部４ｂへ伝達される。読み取り画像信号の劣化補正が目的で、シェーディング補正、スキャナγ補正、ＭＴＦ補正等を行う。補正処理ではないが、拡大／縮小の変倍処理も行う。読み取り画像データの補正処理終了後、出力Ｉ／Ｆ４ｃを介してＣＤＩＣ３へ画像データを転送する。
転写紙への出力はＣＤＩＣ３からの画像データを入力Ｉ／Ｆ４ｄより受け、画質処理部４ｅに於いて面積階調処理を行う。画質処理後のデータは出力Ｉ／Ｆ４ｆを介してＶＤＣ７へ出力される。面積階調処理は濃度変換、ディザ処理、誤差拡散処理等が有り、階調情報の面積近似を主な処理とする。一旦スキャナ画像処理された画像データをメモリに蓄積しておけば、画質処理を変える事によって種々の再生画像を確認することができる。
例えば再生画像の濃度を振ってみたり、ディザマトリクスの線数を変更してみたりすることで、再生画像の雰囲気を変更できる。この時処理を変更する度に画像を読み取りユニット１から読み込み直す必要はなく、ＭＥＭ１０から格納画像を読み出せば同一データに対し、何度でも異なる処理を実施できる。また、単体スキャナの場合、スキャナ画像処理と階調処理を合せて実施し、ＣＤＩＣ３へ出力する。
【００１２】
図６はＶＤＣ７（図１）の構成を示すブロック図である。入力される画像データに対し作像ユニットの特性に応じて、追加の処理を行う。エッジ平滑処理部７ａでのエッジ平滑処理によるドットの再配置処理、パルス制御部７ｂにおけるドット形成のための画像信号のパルス制御を行い、画像データは作像ユニットを対象として出力される。画像データの変換とは別に、パラレルデータＩ／Ｆ７ｃを経由するパラレルデータとシリアルデータＩ／Ｆ７ｄを経由するシリアルデータをデータ変換部７ｅにおいてフォーマット変換する機能を併せ持ち、ＶＤＣ７単体でもシステムコントローラ５とプロセスコントローラ６の通信に対応できる。
図７はＭＬＣ１３（図１）の構成を示すブロック図である。システムコントローラＩ／Ｆ１３ａは、システムコントローラ５からの処理命令に基づき、データアクセス制御部１３ｂ、データ圧縮部（符号化手段）１３ｃ、データ伸張部（復号手段）１３ｄ、データ登録比較部１３ｅ、画像処理部（画像処理手段）１３ｆ、透かし埋込部（透かし埋込手段）１３ｇの制御を行う。
データアクセス制御部１３ｂは、符号変換の対象となるデータをＩＭＡＣ９との間で入出力する部分である。具体的にはＩＭＡＣ９経由でＭＥＭ１０に格納されているデータとの入出力が例として挙げられる。入力されたデータに対してはデータ伸張部１３ｄにより元の画像データが再現される。データ登録比較部１３ｅはあらかじめ使用者が頻繁に使用する定型画像や重要なデータであることを示す定型画像などを登録しておく場所であり、かつ、データ伸張部１３ｄで画像にされたデータとの比較を行い、登録データに該当するか否かを判断する場所である。
画像処理部１３ｆでは２値／多値変換や、画質補正のための画像処理（フィルタ、階調処理、変倍）、が行われる。画像処理後の画像データに対して、任意の情報や、改ざんを検知する為の位置情報などを埋め込む透かし埋込部１３ｇがある。透かし埋込後のデータは出力すべき符号フォーマットを作成するためにデータ圧縮部１３ｃにて符号化処理が行われる。この際、前記データ登録比較部１３ｅでの結果により透かし埋込部１３ｇ及びデータ圧縮部１３ｃの制御データが切り替えられる機構を持つ。新たに作成された符号データはデータアクセス制御部１３ｂにて出力される。なお、対象とするデータが符号でない画像データの場合にはデータ伸張部１３ｄの処理は行われない。逆に、出力すべきデータが符号でない場合には、データ圧縮部１３ｃでの処理は行われない。
【００１３】
２値画像は多値画像に比べて情報量が少ないため、符号化後の符号量は一般的に多値画像より少ない。しかし、一般的には画質が劣る可能性がある。文字画像と写真画像とを考えた場合に、符号化効率と画質のバランスという点では、文字画像に関しては２値画像符号化方式、写真画像には多値画像符号化方式が適している。２値画像と多値画像との関係と同様に、多値画像の場合には白黒画像とカラー画像との関係が存在するため、それを利用することも可能である。白黒画像はカラー画像に比べて情報量が少ないため、符号化後の符号量は一般的にカラー画像より少ない。色の情報があまり重要でない、もしくは多値画像であるが色情報が無い場合には、白黒画像として扱っても画質的には大きな問題はない。
また、画像に任意の情報を埋め込む透かし埋込処理に対しては、２値や多値に対して埋め込むことができるが、２値の場合、画素の取りうる値が０／１、すなわち白／黒しかないため、画質変化が多値に比べて著しい。通常、画素の変化点（エッジ）に情報を付け加えるが、元画像に情報量が少ない場合は、画像のないところに画像を付加するしかない。しかし、使用用途によっては画質変化をなるべく目立たせないようにしたい場合には限界がある。ひいては、透かしが埋め込まれていることを明示することにもなり、透かし埋込のアルゴリズム解析にもつながる可能性がある。
そこで、画像が多値であれば、多少の画素変化で情報を埋め込むことが出来、しかも画質変化が目立ちにくく、アルゴリズムの解析も困難になる（２値を多値にすると当然前述のように、画像ファイルの容量は多くなる）。ちなみに、本実施例では埋め込まれた透かしを検知するのは外部ＰＣのアプリケーションソフトウェア等によるとしている。もちろん、機器側に透かし検知手段を持つことでも実現可能である。
【００１４】
ここで、透かし埋込処理時の画質劣化とその対応策について図７を用いて説明すると、データアクセス制御部１３ｂを通して入力されてきた符号データをデータ伸張部１３ｄで画像データに復号し、画像処理部１３ｆで所定の画像処理が施されたあとの画像データが２値である場合は、透かし埋込部１３ｇで埋込情報を画像データに埋め込もうとすると、画質劣化が大きくなる。これは、画像処理部１３ｆで所定の画像処理が施されたあとの画像データが多値であれば階調レベルが多段であるので透かし埋込部１３ｇでの透かし埋込に対して画質劣化は小さくできるが、２値の場合は画素が白→黒／黒→白になり画像の変化が如実に表れるからである。
このままでは透かし埋込部１３ｇで情報埋込を行うには適さないので、画像処理部１３ｆによって２値から多値化を行い、透かし埋込部１３ｇでの情報埋込による画質変化を極力めだたないように、画像処理部１３ｆでの多値化画像処理、透かし埋込部１３ｇでの多値埋込方法、データ圧縮部１３ｃでの多値符号化の一連の諸設定を切り替えて出力することで対応することが考えられる。しかし、この場合、データフォーマットが２値から多値にかわるのでファイルデータ量も数倍大きくなることになる。ファイルの取り扱い・データ処理パフォーマンス面からして、ファイルデータ容量は少ない方がよい。
この相反する現象に対応する為に、次ページ以降の画像を入力して関連付けを持たせつつ、複数ページの画像に対して所定の透かし情報を埋込むようにした。これには、まず、透かし埋込部１３ｇでの情報埋め込みが行われたデータに対してデータ圧縮部１３ｃにおいてシングルページフォーマットをマルチページフォーマットとして出力するように制御が変更される。例えば、各ページがＪＰＥＧであればＰＤＦファイルに、ＭＨ／ＭＲ／ＭＭＲであればＴＩＦファイルにする。
符号化方式の例については、２値画像に適した符号化方式としてはファクシミリで使用されているＭＨ／ＭＲ／ＭＭＲ方式が、多値画像に適した符号化方式としてはＪＰＥＧ方式やＪＰＥＧ２０００方式が挙げられる。なお、ＪＰＥＧ方式及びＪＰＥＧ２０００方式は白黒画像及びカラー画像の両者に適している。
【００１５】
ところで、使用者もしくは管理者は操作パネルなどの入力設定手段からシステムコントローラＩ／Ｆ１３ａを通じてデータ登録比較部１３ｅのしきい値（画像データの情報量についてのしきい値）を設定するようになっている。
データアクセス制御部１３ｂを通して入力されてきた符号データはデータ伸張部１３ｄで画像データに復号され、画像処理部１３ｆで所定の画像処理が行われ、透かし埋込部１３ｇでの情報の埋込みの際に、透かし埋込部１３ｇに入力されてきた画像データの情報量と設定されたしきい値がデータ登録比較部１３ｅで比較される。
そして、しきい値に満たない場合は、透かし埋込部１３ｇにおいて、上述したように、次ページ以降の画像を入力して関連付けを持たせつつ、複数ページの画像に対して所定の透かし情報を埋込む。これは、対象となる画像の画像データ周辺部（画素のエッジ部分）の限定された領域に無理に埋め込もうとすると画質劣化が目立ってしまうのを回避するためである。
上述の処理が施された場合、元々埋め込む前の画像データを所有していた使用者のファイルフォーマットが変更されるので、その旨をシステムコントローラＩ／Ｆ１３ａを通じて使用者に通知する。この通知は操作部１２や外部のＰＣ１１上に表示される。
以上説明したように、本画像形成装置では、画像データのファイルフォーマットが１ファイル内に１ページのみ有するものであれば、次ページ以降に相当する画像データを同じファイル内に新たに取り込むことで、１ファイル内に複数ページを有するファイルフォーマットに変換し、該当ページと次のページ以降にまたがって透かし埋め込み処理を施すので、ファイルのセキュリティ性を確保できると共に、通信コストの低減や画質劣化の抑制を実現して効率のよいデータ伝送が可能になる。
【図面の簡単な説明】
【００１６】
【図１】本発明のデータ変換装置を適用した画像形成装置の構成を示すブロック図。
【図２】ＭＦＰ、ＰＣ、プリンタ、スキャナ、サーバ等をネットワーク接続した場合の構成図。
【図３】ＣＤＩＣ３（図１）の構成を示すブロック図。
【図４】ＩＭＡＣ９（図１）の構成を示すブロック図。
【図５】ＩＰＰ４（図１）の構成を示すブロック図。
【図６】ＶＤＣ７（図１）の構成を示すブロック図。
【図７】ＭＬＣ１３（図１）の構成を示すブロック図。
【符号の説明】
【００１７】
１  読み取りユニット、２  ＳＢＵ（センサ・ボード・ユニット）、３  ＣＤＩＣ（圧縮／伸張及びデータインターフェイス制御部）、３ａ  画像データ入出力部、３ｂ  画像データ入力制御部、３ｃ  データ圧縮部、３ｄ、７ｃ、９ａ  パラレルデータＩ／Ｆ、３ｅ  データ伸張部、３ｆ  画像データ出力制御部、３ｇ、７ｅ  データ変換部、３ｈ、７ｄ  シリアルデータＩ／Ｆ、３ｉ  コマンド制御部、４  ＩＰＰ（画像処理プロッセッサ）、４ａ、４ｄ  入力Ｉ／Ｆ、４ｂ  スキャナ画像処理部、４ｃ、４ｆ  出力Ｉ／Ｆ、４ｅ、１３ｆ  画質処理部、４ｇ  コマンド・プログラム制御部、５  システムコントローラ、５ａ、６ａ  ＲＯＭ、５ｂ、６ｂ  ＲＡＭ、６  プロセスコントローラ、７  ＶＤＣ（ビデオ・データ制御部）、７ａ  エッジ平滑処理部、７ｂ  パルス制御部、８  作像ユニット、９  ＩＭＡＣ（画像メモリアクセス制御部）、９ｂ、１３ａ  システムコントローラＩ／Ｆ、９ｃ  ビデオ制御部、９ｄ  データ変換部、９ｅ、１３ｃ  データ圧縮部、９ｆ  メモリアクセス制御部、９ｇ、１３ｄ  データ伸張部、９ｈ  ラインバッファ、１０  ＭＥＭ（メモリモジュール）、１１  ＰＣ（Personal Computer）、１２  Operation Panel（操作部）、１３  ＭＬＣ（Media Link Controller）、１３ｂ  データアクセス制御部、１３ｅ  データ登録比較部、１３ｇ  透かし埋込部
【図１】
2007081891.tif 000003
【図２】
2007081891.tif 000004
【図３】
2007081891.tif 000005
【図４】
2007081891.tif 000006
【図５】
2007081891.tif 000007
【図６】
2007081891.tif 000008
【図７】
2007081891.tif 000009